(57)【要約】【課題】特別な回路を設けることなく、コストアップを抑止しつつ、ばらつきの少ないトナー排出が可能で、比較短時間でトナー排出の処理を実現でき、確実に選択現象の節制を抑止できる画像形成装置および画像形成方法を提供する画像形成装置および投射側表示装置を提供する。【解決手段】連続印刷の場合であって、この印刷の前に連続して印刷された所定枚数の平均印字率が、所定の第１の印字率Ａ１（たとえば３％）より低い場合には、第２の制御方法に従ってトナーを強制的に廃棄させ、間欠モードで１ページ印刷し、あるいは連続印刷モードで最終ページを印刷する場合には、その１ページあるいは最終ページの印字率が、第１の印字率Ａ１より高い第２の印字率Ａ２（たとえば４％）より低い場合には、第１の制御方法に従ってトナーを強制的に廃棄させる制御部１８を有する。【選択図】    図２
2006154170.tif 000002
【特許請求の範囲】
【請求項１】
感光体と、
前記感光体を帯電させる帯電手段と、
帯電した前記感光体を露光して静電潜像を形成するための露光手段と、
前記感光体に形成された静電潜像をトナー像に現像するための現像手段と、
前記トナー像を被印刷物に転写する転写手段と、
前記感光体の表面をクリーニングするクリーニング手段と、
前記感光体を除電する除電手段と、
前記感光体、帯電手段、露光手段、現像手段、転写手段、クリーニング手段、および除電手段の動作を制御する制御手段と、を有し、
前記制御手段は、前記帯電手段を非駆動状態でかつ前記除電手段を駆動状態として、前記感光体にトナーを現像させ所定量のトナーを消費するように制御する
画像形成装置。
【請求項２】
前記制御手段は、前記帯電手段と前記除電手段が駆動状態にあるときに、前記帯電手段を非駆動状態とし、所定期間経過後に前記除電手段を非駆動状態として、前記感光体にトナーを現像させ所定量のトナーを消費するように制御する
請求項１に記載の画像形成装置。
【請求項３】
前記制御手段は、前記除電手段を駆動状態とし、所定期間経過後に前記帯電手段を駆動状態として、前記感光体にトナーを現像させ所定量のトナーを消費するように制御する
請求項１に記載の画像形成装置。
【請求項４】
印字率を算出する手段と、
印刷時において、次のページがあるか否かを検知する手段と、を有し、
前記制御手段は、連続印刷の場合であって、当該印刷の前に連続して印刷された所定枚数の平均印字率が、所定の第１の印字率より低い場合には前記トナーを消費するように制御し、最終ページを印刷する場合であって、当該最終ページの印字率が、前記第１の印字率よりも高い第２の印字率より低い場合には前記トナーを消費するように制御する
請求項１に記載の画像形成装置。
【請求項５】
前記制御手段は、
連続印刷の場合であって、当該印刷の前に連続して印刷された所定枚数の平均印字率が、所定の第１の印字率より低い場合には、前記除電手段を駆動状態とし、所定期間経過後に前記帯電手段を駆動状態として、前記感光体にトナーを現像させ所定量のトナーを消費するように制御し、
最終ページを印刷する場合であって、当該最終ページの印字率が、前記第１の印字率より高い第２の印字率より低い場合には、前記帯電手段と前記除電手段が駆動状態にあるときに、前記帯電手段を非駆動状態とし、所定期間経過後に前記除電手段を非駆動状態として、前記感光体にトナーを現像させ所定量のトナーを消費するように制御する
請求項４に記載の画像形成装置。
【請求項６】
帯電手段により感光体を帯電させるステップと、帯電した感光体を露光して静電潜像を形成するステップと、感光体に形成された静電潜像をトナー像に現像するステップと、トナー像を被印刷物に転写するステップと、感光体の表面をクリーニングするステップと、除電手段により感光体を除電するステップと、を含む画像形成方法であって、
連続印刷の場合であって、当該印刷の前に連続して印刷された所定枚数の平均印字率が、所定の第１の印字率より低い場合には、前記除電手段を駆動状態とし、所定期間経過後に前記帯電手段を駆動状態として、前記感光体にトナーを現像させ所定量のトナーを消費するステップと、
最終ページを印刷する場合であって、当該最終ページの印字率が、前記第１の印字率より高い第２の印字率より低い場合には、前記帯電手段と前記除電手段が駆動状態にあるときに、前記帯電手段を非駆動状態とし、所定期間経過後に前記除電手段を非駆動状態として、前記感光体にトナーを現像させ所定量のトナーを消費するステップと
を有する画像形成方法。
【発明の詳細な説明】
【技術分野】
【０００１】
本発明は、ＦＡＸ、プリンタ、複写機などの電子写真方式による画像形成装置および画像形成方法に関するものである。
【背景技術】
【０００２】
電子写真方式を採用した画像形成装置において、現像装置の長寿命化に伴い、粒子径の大きいトナーほど摩擦帯電によるトナー電荷(表面電荷密度)が小さいため、現像に預からずに現像容器内に滞留しやすい。
その結果、使用時間が長いほど、粒子径の大きいトナーが増加し、全体のトナー電荷も低下することから、現像に預かるトナーが減少し、濃度低下などの問題が発生する。この現象を選択現象という。
【０００３】
この選択現象対策を施した画像形成装置として、たとえば第１から第３の画像形成装置が提案されている。
【０００４】
第１の画像形成装置は、原稿の濃度に応じて強制的なトナー消費の度合いを調整しつつ現像器内のトナー濃度制御を行うことにより、トナーの過帯電やトナーの補給不足を防止する（たとえば特許文献１参照）。
【０００５】
第２の画像形成装置は、主に、トナーの初期装着時に、帯電装置、除電装置、露光装置の一つ以上を用いてトナーを強制的に消費させるものである。
【０００６】
第３の画像形成装置は、帯電手段とトナー印加手段とにより、電位差を増大させることでトナーを強制廃棄するものである。
【特許文献１】特開平１１−３２７２２７号公報
【発明の開示】
【発明が解決しようとする課題】
【０００７】
選択現象対策を施した従来の画像形成装置は、基本的に、現像装置内のトナーの消費量が少なく、一定時間以上滞ったと判断した際に、所定枚数印字毎に、もしくは所定時間経過毎に、感光体上に強制的にトナーによる黒帯を形成し現像装置内のトナー電荷の小さいトナーを積極的に消費することによって排出する。
そして、具体的には、以下の２つの方法が採用される。
【０００８】
第１の方法は、次のように、高圧出力の組み合わせで黒帯を形成する。
（１）  現像バイアスをオンしたまま帯電バイアスを一定時間オフして感光体の表面電位を低下させ、その部分に黒帯を形成する。
（２）  帯電バイアスをオフし、あらかじめ感光体の表面電位を低下させた状態で現像バイアスを一定時間オンし、その部分に黒帯を形成する。
【０００９】
第２の方法は、現像バイアス、帯電バイアスともにオンした状態で、レーザによる書き込みで感光体の表面電位を低下させ、その部分に黒帯を形成する。
【００１０】
ところが、第１の方法は、ソフトウェアだけで制御できるため、特別な回路を設けることなく比較的簡単に黒帯を形成することができるが、高圧電源の立ち上がり特性に影響され、黒帯の始まりと終わりがぼやけてしまう。また、立ち上がり時間の関係で幅の狭い帯を形成することができない。このことから、トナーの排出量にばらつきが発生していまい、また、まとまった量のトナーを排出しなければならないことから長時間を要するという不利益がある。
【００１１】
また、第２の方法は、レーザ光の書き込みで黒帯を形成することから、幅の狭い帯を形成することができ、ばらつきの少ないトナー排出が可能で、比較短時間でトナー排出の処理を実現できるが、レーザの制御を行うためには特別な回路が必要となり、コストアップになるという不利益がある。
【００１２】
本発明の目的は、特別な回路を設けることなく、コストアップを抑止しつつ、ばらつきの少ないトナー排出が可能で、比較短時間でトナー排出の処理を実現でき、確実に選択現象の節制を抑止できる画像形成装置および画像形成方法を提供することにある。
【課題を解決するための手段】
【００１３】
上記目的を達成するため、本発明の第１の観点の画像形成装置は、感光体と、前記感光体を帯電させる帯電手段と、帯電した前記感光体を露光して静電潜像を形成するための露光手段と、前記感光体に形成された静電潜像をトナー像に現像するための現像手段と、前記トナー像を被印刷物に転写する転写手段と、前記感光体の表面をクリーニングするクリーニング手段と、前記感光体を除電する除電手段と、前記感光体、帯電手段、露光手段、現像手段、転写手段、クリーニング手段、および除電手段の動作を制御する制御手段と、を有し、前記制御手段は、前記帯電手段を非駆動状態でかつ前記除電手段を駆動状態として、前記感光体にトナーを現像させ所定量のトナーを消費するように制御する。
【００１４】
好適には、前記制御手段は、前記帯電手段と前記除電手段が駆動状態にあるときに、前記帯電手段を非駆動状態とし、所定期間経過後に前記除電手段を非駆動状態として、前記感光体にトナーを現像させ所定量のトナーを消費するように制御する。
【００１５】
好適には、前記制御手段は、前記除電手段を駆動状態とし、所定期間経過後に前記帯電手段を駆動状態として、前記感光体にトナーを現像させ所定量のトナーを消費するように制御する。
【００１６】
好適には、印字率を算出する手段と、印刷時において、次のページがあるか否かを検知する手段と、を有し、前記制御手段は、連続印刷の場合であって、当該印刷の前に連続して印刷された所定枚数の平均印字率が、所定の第１の印字率より低い場合には前記トナーを消費するように制御し、最終ページを印刷する場合であって、当該最終ページの印字率が、前記第１の印字率よりも高い第２の印字率より低い場合には前記トナーを消費するように制御する。
【００１７】
好適には、前記制御手段は、連続印刷の場合であって、当該印刷の前に連続して印刷された所定枚数の平均印字率が、所定の第１の印字率より低い場合には、前記除電手段を駆動状態とし、所定期間経過後に前記帯電手段を駆動状態として、前記感光体にトナーを現像させ所定量のトナーを消費するように制御し、最終ページを印刷する場合であって、当該最終ページの印字率が、前記第１の印字率より高い第２の印字率より低い場合には、前記帯電手段と前記除電手段が駆動状態にあるときに、前記帯電手段を非駆動状態とし、所定期間経過後に前記除電手段を非駆動状態として、前記感光体にトナーを現像させ所定量のトナーを消費するように制御する。
【００１８】
本発明の第２の観点は、帯電手段により感光体を帯電させるステップと、帯電した感光体を露光して静電潜像を形成するステップと、感光体に形成された静電潜像をトナー像に現像するステップと、トナー像を被印刷物に転写するステップと、感光体の表面をクリーニングするステップと、除電手段により感光体を除電するステップと、を含む画像形成方法であって、連続印刷の場合であって、当該印刷の前に連続して印刷された所定枚数の平均印字率が、所定の第１の印字率より低い場合には、前記除電手段を駆動状態とし、所定期間経過後に前記帯電手段を駆動状態として、前記感光体にトナーを現像させ所定量のトナーを消費するステップと、最終ページを印刷する場合であって、当該最終ページの印字率が、前記第１の印字率より高い第２の印字率より低い場合には、前記帯電手段と前記除電手段が駆動状態にあるときに、前記帯電手段を非駆動状態とし、所定期間経過後に前記除電手段を非駆動状態として、前記感光体にトナーを現像させ所定量のトナーを消費するステップとを有する。
【発明の効果】
【００１９】
本発明によれば、特別な回路を設けることなく、コストアップを抑止しつつ、ばらつきの少ないトナー排出が可能で、比較短時間でトナー排出の処理を実現でき、確実に選択現象の節制を抑止できる。
【発明を実施するための最良の形態】
【００２０】
以下、本発明の実施形態を添付図面に関連付けて説明する。
【００２１】
図１は、本発明に係る画像形成装置の要部である感光体およびその近傍の構成を簡略化して示す図である。
また、図２は、本発明に係る画像形成装置の制御系の一実施形態を示すブロック図である。
【００２２】
本画像形成装置１０は、図に示すように、感光体１１、帯電装置１２、露光装置１３、現像装置１４、転写装置１５、クリーニング装置１６、除電装置１７、および制御部１８を主構成要素として有している。
そして、画像形成装置１０は、図１に示すように、感光体１１の周囲に、同図中に矢印で示した感光体１１の回転方向に沿って順に、帯電装置１２と、露光装置１３と、現像装置１４と、転写装置１５と、クリーニング装置１と、除電装置１７とが表記した順に配置されている。
【００２３】
感光体１１は、たとえば正帯電単層型の感光ドラムにより構成され、制御部１８により図１中の矢印Ａで示す方向に回転制御される。
【００２４】
帯電装置１２は、制御部１８の制御の下、メインバイアスＭＢが印加されて感光体１１条を約４６０Ｖに帯電させる。
帯電装置１２は、コロトロン、スコロトロンなどの帯電器を用いることができる。図の例はコロトロン式の帯電器であって、符号１２１は放電ワイヤ、符号１２２ はシールドをそれぞれ示している。
【００２５】
露光装置１３は、たとえば画像形成装置１０がレーザープリンタ、デジタル式の静電式複写機、普通紙ファクシミリ装置などである場合、入力された電子データに基づいて感光体１１の表面に静電潜像を形成できる、半導体レーザアレイなどにより構成される。
半導体レーザアレイを採用した場合、たとえばレーザ波長は７８０ｎｍ、レーザ露光量０．９μＪ／ｃｍ2に設定される。
露光装置１３による露光後の感光体１１の表面電位は、たとえば約＋１０Ｖである。
【００２６】
現像装置１４は、感光体１１の表面に形成された静電潜像をトナー像に現像できる、種々の方式、たとえば磁性ジャンピング現像を利用した現像器を用いることができる。
現像装置１４は、制御部１８の制御の下、感光体１１と現像器スリーブとの間に、交番電界（現像バイアスＤＶ）が印加されて、感光体１１の露光部分にトナーを現像する。
交番電界は、ＤＣ電圧に矩形波、三角波、正弦波のＡＣ成分を重畳するものであって、たとえばＤＣ電圧が３５０Ｖ、ＡＣ周波数が２．４ｋＨｚ、ＡＣ振幅が１．６ｋＶ、デューディ（ＤＵＴＹ）比が５０％に設定される。
【００２７】
転写装置１５は、制御部１８により転写バイアスＴＢを受けて感光体１１の形成されたトナー像を被印刷部に転写する。
転写装置１５としては、図の例では、少なくともその表面が導電性を有し、所定の電位に接続された転写ローラを用いている。
転写措置１５の転写バイアスＴＢは、たとえば１０μＡの定電流制御によるものである。
【００２８】
クリーニング装置１６は、線厚１５ｇ／ｃｍに設定され、感光体１１の表面に当接させて、残留したトナーを掻き落とすためのクリーニングブレード１６１ と、少なくともその表面を、導電性を有する弾性材料にて形成したクリーニングローラ１６２ と、これらの部材を保持するとともに、クリーニングブレード１６１ で掻き落としたトナーを収容するためのハウジング１６３とを備えている。
【００２９】
除電装置１７は、制御部１８の制御の下、イレース信号ＥＲを受けて駆動状態（オン状態）となり、感光体１１が感度を有する波長の光を、感光体１１の表面に一様に照射する。
除電装置１７は、たとえばＬＥＤにより構成され、その場合のＬＥＤの出射光の波長は６３０ｎｍ、ＬＥＤ露光量は４．０μＪ／ｃｍ2に設定される。
【００３０】
制御部１８は、タイマ１８１によって規定したタイミング、並びにメモリ１８２に記録した初期値などに基づいて種々の演算を行い、それに基づいて制御信号をドライバ１８３に供給する。
そして、ドライバ１８３は、制御信号ＣＴＬに基づいて感光体１を回転させながら、帯電装置１２にメインバイアスＭＢ、露光装置１３に駆動信号ＥＰ、現像装置１４に現像バイアスＤＢ、転写装置１５に転写バイアスＴＢ，逆転写バイアス／ＴＢ 、クリーニング装置１６に駆動信号ＣＬ、および除電装置１７にイレース信号ＥＲを所定のタイミングで印加して、帯電装置１２、露光装置１３、現像装置１４、転写装置１５、クリーニング装置１６、および除電装置１７の駆動制御を行う。
【００３１】
画像形成装置１０においては、制御部１８の制御の下、通常の印字モードモードとして、感光体１１を矢印の方向に回転させながら、その表面を、帯電装置１２によって一様に帯電させ、次いで露光装置１３によって露光して静電潜像を形成した後、この静電潜像を、現像装置１４によってトナー像に現像する。
次にこのトナー像を、転写装置１５によって紙などの被印刷物の表面に転写した後、図示しない定着装置によって被印刷物の表面に定着させることで、一連の画像形成のステップが完了する。
【００３２】
また、トナー像転写後の感光体１１は、その表面に残留したトナーをクリーニング装置１６によって除去し、さらに除電装置１７を用いて露光して除電することによって、次の画像形成に備える。
【００３３】
印字モードには、さらに、被印刷物１枚ずつに対して印刷を行う間欠モードと、連続印刷を行う連続モードがあり、制御部１８は、両モードに従った制御を行う。
【００３４】
そして、本実施形態において、制御部１８は、選択現象対策として、所定の条件に従って、帯電装置１２を非動作状態(オフ状態)でかつ除電装置１７を駆動状態(オン状態)として、感光体１１にトナーを現像させ所定量のトナーを強制的に廃棄するように制御するトナー強制廃棄モードに移行する。
制御部１８は、このトナー強制廃棄モードに移行してレーザ光による書き込みを行うことなく幅の狭い黒帯を形成し、選択現象の発生を抑止している。
【００３５】
制御部１８は、トナー強制廃棄モードに移行する場合、条件に従って、次の２つの制御方法を切り替えてトナーを強制的に廃棄する。  
【００３６】
図３（Ａ）〜（Ｃ）はトナー強制廃棄モードの第１の制御方法を説明するためのタイミングチャートであり、図４（Ａ）〜（Ｃ）はトナー強制廃棄モードの第２の制御方法を説明するためのタイミングチャートである。図３および図４（Ａ）は帯電装置１２に対するメインバイアスＭＢを、図３および図４（Ｂ）は除電装置１７の駆動信号（イレース信号）ＥＲを、図３および図４（Ｃ）は感光体１１の帯電電位ＶＣをそれぞれ示している。
【００３７】
制御部１８は、第１の制御方法の場合は、図３（Ａ），（Ｂ）に示すように、メインバイアスＭＢを帯電装置１２に印加し、イレース信号ＥＲを除電装置１７に印加して帯電装置１２と除電装置１７が駆動状態(オン状態)にあるときに、帯電装置１２へのメインバイアスＭＢの印加を停止して帯電装置１２を非駆動状態(オフ状態)とし、所定期間ｔ１を経過後に除電装置１７へのイレース信号ＥＲの印加を停止して除電装置１７を非駆動状態(オフ状態)とすることにより、図３（Ｃ）に示すように、期間ｔ１に感光体１１にトナーを現像させるように現像装置１４に所定量のトナーを強制的に廃棄させる。
【００３８】
制御部１８は、第２の制御方法の場合は、図４（Ａ），（Ｂ）に示すように、メインバイアスＭＢの帯電装置１２への印加を停止し、イレース信号ＥＲの除電装置１７への印加を停止して帯電装置１２と除電装置１７が非駆動状態(オフ状態)にあるときに、除電装置１７にイレース信号ＥＲを印加して除電装置１７を駆動状態（オン状態）とし、所定期間ｔ２を経過後に、メインバイアスＭＢを帯電装置１２に印加して帯電装置１２を駆動状態（オン状態）とすることにより、図４（Ｃ）に示すように、期間ｔ２に感光体１１にトナーを現像させるように現像装置１４に所定量のトナーを強制的に廃棄させる。
【００３９】
なお、制御部１８は、トナー強制廃棄モード時には、現像バイアスＤＢが現像装置１４に印加するように制御する。
【００４０】
制御部１８は、平均印字率を算出する機能と、印刷時において次のページがあるか否かを検知する機能を含む。
平均印字率の算出する機能は、印字データ（被印刷物の１枚分）のドット数を計測し、たとえばＡ４サイズ２００［ｍｍ］×２８７［ｍｍ］の被印刷物である用紙１枚のドット数に対する割合を計算する。
制御部１８は、画像データをドット数として計測し、画像上の原稿密度ａｎを測定し、測定した用紙１枚ごとの原稿密度ａ１、ａ２、ａ３、・・、ａｎの平均原稿密度を平均印字率として求める。
ただし、印字率算出部、ページ検知部は、外部に設けるように構成することも可能である。
【００４１】
制御部１８は、連続印刷モード、すなわち連続印刷の場合であって、この印刷の前に連続して印刷された所定枚数の平均印字率が、所定の第１の印字率Ａ１（たとえば３％）より低い場合には、第２の制御方法に従ってトナーを強制的に廃棄させる。
すなわち、制御部１８は、現像バイアスＤＢを現像装置１４に印加して現像装置１４を駆動状態（オン状態）とし、メインバイアスＭＢの帯電装置１２への印加を停止し、イレース信号ＥＲの除電装置１７への印加を停止して帯電装置１２と除電装置１７が非駆動状態(オフ状態)にあるときに、除電装置１７にイレース信号ＥＲを印加して除電装置１７を駆動状態（オン状態）とし、所定期間ｔ２を経過後に、メインバイアスＭＢを帯電装置１２に印加して帯電装置１２を駆動状態（オン状態）とすることにより、期間ｔ２に感光体１１にトナーを現像させるように現像装置１４に所定量のトナーを強制的に廃棄させるための制御信号ＣＴＬをドライバに１８３に出力する。
【００４２】
また、制御部１８は、間欠モードで１ページ印刷し、あるいは連続印刷モードで最終ページを印刷する場合には、その１ページあるいは最終ページの印字率が、第１の印字率Ａ１より高い第２の印字率Ａ２（たとえば４％）より低い場合には、第１の制御方法に従ってトナーを強制的に廃棄させる。
すなわち、制御部１８は、現像バイアスＤＢを現像装置１４に印加して現像装置１４を駆動状態（オン状態）とし、メインバイアスＭＢを帯電装置１２に印加し、イレース信号ＥＲを除電装置１７に印加して帯電装置１２と除電装置１７が駆動状態(オン状態)にあるときに、帯電装置１２へのメインバイアスＭＢの印加を停止して帯電装置１２を非駆動状態(オフ状態)とし、所定期間ｔ１を経過後に除電装置１７へのイレース信号ＥＲの印加を停止して除電装置１７を非駆動状態(オフ状態)とすることにより、期間ｔ１に感光体１１にトナーを現像させるように現像装置１４に所定量のトナーを強制的に廃棄させるための制御信号ＣＴＬをドライバ１８３に出力する。
【００４３】
図５（Ａ）〜（Ｆ）は間欠モード時のトナー強制廃棄モードのタイミングチャートである。
間欠モード時には、画像形成装置１０が停止する（印字を停止する）時には必ずトナー強制廃棄モードに移行して第１の制御方法に従った制御を行う。
【００４４】
図６（Ａ）〜（Ｆ）は連続増印刷モード時の最終ページのときのトナー強制廃棄モードのタイミングチャートである。
連続増印刷モード時の最終ページのときも、間欠モード時と同様に、第１の制御方法に従ったトナー強制廃棄制御を行う。
【００４５】
図７は、本実施形態の制御部におけるトナー強制廃棄制御動作を説明するためのフローチャートである。
【００４６】
制御部１８は、印字が開示されると（ＳＴ１）、次のページがあるか否かの判定を行う（ＳＴ２）。
ステップＳＴ２において、印刷すべき次のページがあると、排出カウンタアが１０になったか、すなわち、印刷したページが１０に達したか否かの判定を行う（ＳＴ３）。
ステップＳＴ３において、１０に達していないと判定した場合には、排出カウンタに＋１を加えるインクリメント操作を行って（ＳＴ４）、ステップＳＴ１に戻る。
以上の動作を繰り返し、ステップＳＴ３において、印刷したページが１０に達したと判定すると、１０枚（ページ）の平均印字率Ｘが第１の印字率Ａ１より低いか否かの判定を行う（ＳＴ５）。
【００４７】
ステップＳＴ５において、１０枚（ページ）の平均印字率Ｘが第１の印字率Ａ１（３％）より低いと判定した場合には、トナー強制廃棄モードに移行し、かつ第２の制御方法に従った動作制御を行う（ＳＴ６）。
すなわち、制御部１８は、現像バイアスＤＢを現像装置１４に印加して現像装置１４を駆動状態（オン状態）とし、メインバイアスＭＢの帯電装置１２への印加を停止し、イレース信号ＥＲの除電装置１７への印加を停止して帯電装置１２と除電装置１７が非駆動状態(オフ状態)にあるときに、除電装置１７にイレース信号ＥＲを印加して除電装置１７を駆動状態（オン状態）とし、所定期間ｔ２を経過後に、メインバイアスＭＢを帯電装置１２に印加して帯電装置１２を駆動状態（オン状態）とすることにより、期間ｔ２に感光体１１にトナーを現像させるように現像装置１４に所定量のトナーを強制的に廃棄させる。
【００４８】
そして、ステップＳＴ６の処理後、あるいは１０枚の平均印字率が第１の印字率Ａ１以上の場合には、排出カウンタをリセットして（ＳＴ７）、ステップＳＴ１の処理に戻る。
【００４９】
以上の動作を繰り返し、ステップＳＴ２において、印刷すべき次のページが無いと判定すると、前ページの印字率Ａが第１の印字率Ａ１より高い第２の印字率Ａ２（４％）より低いか否かの判定を行う（ＳＴ８）。
ステップＳＴ８において、最終ページのときに前ページの印字率Ａが第２の印字率Ａ２（４％）より低いと判定した場合には、トナー強制廃棄モードに移行し、かつ第１の制御方法に従った動作制御を行う（ＳＴ９）。
すなわち、制御部１８は、現像バイアスＤＢを現像装置１４に印加して現像装置１４を駆動状態（オン状態）とし、メインバイアスＭＢを帯電装置１２に印加し、イレース信号ＥＲを除電装置１７に印加して帯電装置１２と除電装置１７が駆動状態(オン状態)にあるときに、帯電装置１２へのメインバイアスＭＢの印加を停止して帯電装置１２を非駆動状態(オフ状態)とし、所定期間ｔ１を経過後に除電装置１７へのイレース信号ＥＲの印加を停止して除電装置１７を非駆動状態(オフ状態)とすることにより、期間ｔ１に感光体１１にトナーを現像させるように現像装置１４に所定量のトナーを強制的に廃棄させる。
【００５０】
そして、ステップＳＴ９の処理後、あるいは印字率Ａが第２の印字率Ａ２以上の場合には、排出カウンタをリセットして（ＳＴ１０）、印刷を終了する（ＳＴ１１）。
【００５１】
以上説明したように、本実施形態によれば、連続印刷の場合であって、この印刷の前に連続して印刷された所定枚数の平均印字率が、所定の第１の印字率Ａ１（たとえば３％）より低い場合には、現像バイアスＤＢを現像装置１４に印加して現像装置１４を駆動状態（オン状態）とし、メインバイアスＭＢの帯電装置１２への印加を停止し、イレース信号ＥＲの除電装置１７への印加を停止して帯電装置１２と除電装置１７が非駆動状態(オフ状態)にあるときに、除電装置１７にイレース信号ＥＲを印加して除電装置１７を駆動状態（オン状態）とし、所定期間ｔ２を経過後に、メインバイアスＭＢを帯電装置１２に印加して帯電装置１２を駆動状態（オン状態）とすることにより、期間ｔ２に感光体１１にトナーを現像させるように現像装置１４に所定量のトナーを強制的に廃棄させ、間欠モードで１ページ印刷し、あるいは連続印刷モードで最終ページを印刷する場合には、その１ページあるいは最終ページの印字率が、第１の印字率Ａ１より高い第２の印字率Ａ２（たとえば４％）より低い場合には、現像バイアスＤＢを現像装置１４に印加して現像装置１４を駆動状態（オン状態）とし、メインバイアスＭＢを帯電装置１２に印加し、イレース信号ＥＲを除電装置１７に印加して帯電装置１２と除電装置１７が駆動状態(オン状態)にあるときに、帯電装置１２へのメインバイアスＭＢの印加を停止して帯電装置１２を非駆動状態(オフ状態)とし、所定期間ｔ１を経過後に除電装置１７へのイレース信号ＥＲの印加を停止して除電装置１７を非駆動状態(オフ状態)とすることにより、期間ｔ１に感光体１１にトナーを現像させるように現像装置１４に所定量のトナーを強制的に廃棄させる制御部１８を有することから、以下の効果を得ることができる。
【００５２】
特別な回路を設けることなく、コストアップを抑止しつつ、ばらつきの少ないトナー排出が可能で、高圧電源の立ち上がりに依存しないことから比較短時間でトナー排出の処理を実現でき、確実に選択現象の節制を抑止できる利点がある。
比較的に幅の狭い帯を形成することができることから、連続印刷（印字）においても紙間でトナーの強制廃棄を行うことが可能である。
【図面の簡単な説明】
【００５３】
【図１】本発明に係る画像形成装置の要部である感光体およびその近傍の構成を簡略化して示す図である。
【図２】本発明に係る画像形成装置の制御系の一実施形態を示すブロック図である。
【図３】トナー強制廃棄モードの第１の制御方法を説明するためのタイミングチャートである。
【図４】トナー強制廃棄モードの第２の制御方法を説明するためのタイミングチャートである。
【図５】間欠モード時のトナー強制廃棄モードのタイミングチャートである。
【図６】連続増印刷モード時の最終ページのときのトナー強制廃棄モードのタイミングチャートである。
【図７】本実施形態の制御部におけるトナー強制廃棄制御動作を説明するためのフローチャートである。
【符号の説明】
【００５４】
１０…画像形成装置、１１…感光体、１２…帯電装置、１３…露光装置、１４…現像装置、１５…転写装置、１６…クリーニング装置、１７…除電装置、１８…制御部。
【図１】
2006154170.tif 000003
【図２】
2006154170.tif 000004
【図３】
2006154170.tif 000005
【図４】
2006154170.tif 000006
【図５】
2006154170.tif 000007
【図６】
2006154170.tif 000008
【図７】
2006154170.tif 000009